(57)【要約】【課題】ウェアラブルデバイスの装着状態を検出するためのシステム、方法、及び非一時的なコンピュータ可読記憶媒体を提供すること。【解決手段】ウェアラブル状態は、ユーザがウェアラブルデバイスを装着しているかどうかを示し、装着状態データをコンパニオン通信デバイスに送信してコンパニオン通信デバイスの動作を制御する。【選択図】図２
2020031444.tif 000002
【特許請求の範囲】
【請求項１】
コンパニオン通信デバイスによって、
無線イヤホンから受信した第１の信号に基づいて、ユーザが無線イヤホンを装着しているかどうかを示す第１の装着状態を判定することと、
前記コンパニオン通信デバイスの音声情報を前記第１の装着状態に基づいて第１の出力部に送信することと、
前記無線イヤホンから受信した第２の信号に基づいて、前記無線イヤホンの装着状態の第２の装着状態への変化を検出することと、
前記無線イヤホンの前記装着状態の前記変化に少なくとも部分的に基づいて、前記コンパニオン通信デバイスの動作を変更することと、を含む方法。
【請求項２】
前記コンパニオン通信デバイスの前記音声情報を前記第１の出力部に送信することは、  前記第１の装着状態が、前記ユーザが前記無線イヤホンを装着している、又は前記ユーザが前記無線イヤホンを前記ユーザの耳に配置したときに、前記コンパニオン通信デバイスの無線通信インターフェースを介して、前記コンパニオン通信デバイスの前記音声情報を前記無線イヤホンに送信することを含む、請求項１に記載の方法。
【請求項３】
前記無線イヤホンの前記装着状態の前記第２装着状態への前記変化を検出することは、  前記無線イヤホンが前記ユーザの前記耳から取り外されたときを検出することを含む、請求項２に記載の方法。
【請求項４】
前記コンパニオン通信デバイスの動作を変更することは、
前記ユーザが前記無線イヤホンを装着しておらず、前記無線イヤホンが前記ユーザの前記耳から取り外されているときに、前記コンパニオン通信デバイスの前記音声情報を代替出力部に送信することを含む、請求項３に記載の方法。
【請求項５】
前記代替出力部は、前記コンパニオン通信デバイスの前記音声情報を前記無線イヤホンに送信する前に音声再生に使用される、前記コンパニオン通信デバイスの出力部を含む、請求項４に記載の方法。
【請求項６】
前記コンパニオン通信デバイスの前記動作を変更することは、
前記無線イヤホンが前記ユーザの前記耳から取り外されたときに、前記コンパニオン通信デバイスの前記音声情報を一時停止することを含む、請求項３に記載の方法。
【請求項７】
前記無線イヤホンの前記装着状態の前記変化を検出することは、
前記無線イヤホンが前記ユーザの耳に配置されたときを検出することを含む、請求項１に記載の方法。
【請求項８】
前記コンパニオン通信デバイスの前記動作を変更することは、
前記無線イヤホンが前記ユーザの前記耳に配置されたときに、前記コンパニオン通信デバイスの無線通信インターフェースを介して、前記コンパニオン通信デバイスの前記音声情報を前記無線イヤホンに送信することを含む、請求項７に記載の方法。
【請求項９】
前記コンパニオン通信デバイスの前記音声情報は、音声通話のための音声アプリケーションに関連付けられた音声情報を含み、
前記コンパニオン通信デバイスの前記動作を変更することは、前記無線イヤホンが前記ユーザの前記耳に配置されたとき、
着信音声通話に応答することと、
前記着信音声通話のための前記音声アプリケーションに関連付けられた前記音声情報を、前記音声コンパニオン通信デバイスの無線通信インターフェースを介して前記無線イヤホンに送信することと、を含む、請求項７に記載の方法。
【請求項１０】
ウェアラブルデバイスであって、
プロセッサと、
前記ウェアラブルデバイスが装着されているかどうかを示す第１の装着状態を判定するように構成されたセンサと、
前記ウェアラブルデバイスをコンパニオン通信デバイスとペアリングし、前記コンパニオン通信デバイスに、前記第１の装着状態に基づいて前記コンパニオン通信デバイスに前記コンパニオン通信デバイスの音声情報を第１の出力部に送信させる信号を送信するように構成される通信インターフェースと、を備え、
前記センサは、前記ウェアラブルデバイスの装着状態の第２の装着状態への変化を検出するように更に構成され、
前記通信インターフェースは、前記コンパニオン通信デバイスに信号を送信して、前記コンパニオン通信デバイスに、前記ウェアラブルデバイスの前記装着状態の前記変化に少なくとも部分的に基づいて、前記コンパニオン通信デバイスの動作を変更させるように更に構成される、ウェアラブルデバイス。
【請求項１１】
スピーカを更に備え、
前記通信インターフェースは、前記コンパニオン通信デバイスの前記音声情報を受信するように更に構成され、
前記プロセッサは、前記第１の出力部としての前記ウェアラブルデバイスの前記スピーカを介して前記コンパニオン通信デバイスの前記音声情報を再生するように構成される、請求項１０に記載のウェアラブルデバイス。
【請求項１２】
前記センサは、前記ウェアラブルデバイスが前記ユーザによって装着されていないときを検出するように更に構成される、請求項１０に記載のウェアラブルデバイス。
【請求項１３】
前記コンパニオン通信デバイスに送信される前記信号は、前記コンパニオン通信デバイスに、前記ウェアラブルデバイスが装着されていないときに前記コンパニオン通信デバイスの前記音声情報を代替出力部に送信させる、請求項１２に記載のウェアラブルデバイス。
【請求項１４】
前記コンパニオン通信デバイスに前記コンパニオン通信デバイスの前記動作を変更させる前記信号は、前記ウェアラブルデバイスの前記装着状態が変化して前記ウェアラブルデバイスはもはや装着されていないことを示したとき、前記音声情報を一時停止する信号を含む、請求項１０に記載のウェアラブルデバイス。
【請求項１５】
前記センサは、前記ウェアラブルデバイスが耳の中に配置されたときを検出するように更に構成された、請求項１０に記載のウェアラブルデバイス。
【請求項１６】
前記コンパニオン通信デバイスに前記コンパニオン通信デバイスの前記動作を変更させる前記コンパニオン通信デバイスへの前記信号は、前記ウェアラブルデバイスが耳の中に配置されたとき、前記コンパニオン通信デバイスに前記コンパニオン通信デバイスの前記音声情報を前記ウェアラブルデバイスに送信させる、請求項１５に記載のウェアラブルデバイス。
【請求項１７】
前記コンパニオン通信デバイスの前記音声情報は、音声通話のための音声アプリケーションの音声情報を含み、
前記コンパニオン通信デバイスの前記動作を変更することは、
前記ウェアラブルデバイスが耳の中に配置されたとき、
着信音声通話に応答することと、
前記ウェアラブルデバイスに前記着信音声通話のための前記音声アプリケーションの前記音声情報を送信することと、を含む、請求項１６に記載のウェアラブルデバイス。
【請求項１８】
コンパニオン通信デバイスにより、
無線イヤホンから受信した第１の信号に基づいて、ユーザが前記無線イヤホンを装着しているかどうかを示す第１の装着状態を判定することと、
前記コンパニオン通信デバイスで着信音声通話を受信することと、
前記第１の装着状態が、前記ユーザが前記無線イヤホンを装着していることを示すとき、
前記音声通話に応答することと、
前記音声通話の音声情報を前記無線イヤホンに送信することと、を含む方法。
【請求項１９】
前記第１の装着状態が、前記ユーザが前記無線イヤホンを装着していないことを示すとき、
前記無線イヤホンから受信した第２の信号に基づいて、前記ユーザが前記無線イヤホンを前記ユーザの耳に挿入したことを示す第２の装着状態への前記無線イヤホンの装着状態の変化を検出することと、
前記無線イヤホンの前記装着状態の前記第２の装着状態への前記変化を前記検出することに応答して、前記音声通話の前記音声情報を前記無線イヤホンに送信することと、を更に含む、請求項１８に記載の方法。
【請求項２０】
前記無線イヤホンから受信した第３の信号に基づいて、前記ユーザが前記無線イヤホンを前記ユーザの前記耳から取り外したことを示す第３の装着状態への前記無線イヤホンの前記装着状態の更なる変化を検出することと、
前記無線イヤホンの前記装着状態の前記第３の装着状態への前記変化を前記検出すること応答して、前記音声通話の前記音声情報を前記コンパニオン通信デバイスのスピーカに送信することと、を更に含む、請求項１９に記載の方法。
【請求項２１】
ウェアラブルデバイスによってコンパニオン通信デバイスの動作を変更する方法であって、
前記ウェアラブルデバイスを前記コンパニオン通信デバイスとペアリングすることと、  前記ウェアラブルデバイスのセンサを使用して、ユーザが前記ウェアラブルデバイスを装着しているかどうかを示す第１の装着状態を判定することと、
前記コンパニオン通信デバイスに、前記第１の装着状態に基づいて、第１の出力部に前記コンパニオン通信デバイスの音声情報を送信させる信号を送信することと、
前記ウェアラブルデバイスの装着状態の第２の装着状態への変化を検出することと、
前記コンパニオン通信デバイスに、前記ウェアラブルデバイスの装着状態の前記変化に少なくとも部分的に基づいて、前記コンパニオン通信デバイスに前記コンパニオン通信デバイスの動作を変更させる信号を送信することと、を含む方法。
【請求項２２】
命令を記憶する非一時的コンピュータ可読記憶媒体であって、当該命令は、コンピューティングデバイスによって実行されるときに、前記コンピューティングデバイスに、
無線イヤホンから受信した第１の信号に基づいて、ユーザが前記無線イヤホンを装着しているかどうかを示す第１の装着状態を判定することと、
前記第１の装着状態に基づいて前記コンピューティングデバイスの音声情報を第１の出力部に送信することと、
前記無線イヤホンから受信した第２の信号に基づいて、前記無線イヤホンの装着状態の第２の装着状態への変化を検出することと、
前記無線イヤホンの前記装着状態の前記変化に少なくとも部分的に基づいて、前記コンピューティングデバイスの動作を変更することと、を含む方法を実行させる、非一時的コンピュータ可読記憶媒体。
【発明の詳細な説明】
【技術分野】
【０００１】
本技術は、ウェアラブルデバイスの状態に基づいてウェアラブルデバイスとペアリングされたデバイスを制御することを含む、デバイスの制御に関する。
【背景技術】
【０００２】
電子デバイスは、周辺デバイスが電子デバイスに接続されているかどうかに基づいて動作を変更することができる。例えば、音楽プレーヤデバイスは、ヘッドホンが音楽プレーヤデバイスのヘッドホンジャックに接続されているときに、一対のヘッドホンに音声を送信することができる。
【０００３】
更に、いくつかの周辺デバイスは、電子デバイスに無線で接続することができ、ユーザは、周辺デバイスに入力を設けることによって、電子デバイスに情報を送信することができる。例えば、無線ヘッドセットは、携帯電話と無線で接続することができ、携帯電話で音声通話に応答するのに使用できる無線ヘッドセット上のボタンを含むことができる。しかしながら、ユーザコマンドを通信するためにユーザに周辺デバイスとの対話を要求することは、直感的でなく、難しい制御を含む可能性があり、さもなければ負担になり得る。
【発明の概要】
【０００４】
本開示の更なる特徴及び利点は、以下の説明に記載され、部分的には、その説明から明白となるか、又は、本明細書で開示される原理を実践することによって習得され得る。本開示の特徴及び利点は、添付の特許請求の範囲で具体的に指摘される手段及び組み合わせによって、実現し、獲得され得る。本開示のこれらの特徴及び他の特徴は、以下の説明及び添付の特許請求の範囲から、より完全に明らかとなるか、又は、本明細書に記載される原理を実践することによって理解され得る。
【０００５】
本技術は、コンパニオン通信デバイスとペアリングし、ペアリングされたコンパニオン通信デバイスにデータを送信するウェアラブルデバイスを含み、そのデータは、ユーザがウェアラブルデバイスを装着しているかどうか、及び／又はウェアラブルデバイスの装着状態が変化しているかどうかを示す装着状態を記載する。コンパニオン通信デバイスは、ウェアラブルデバイスから受信した装着状態データに基づいて、音声データをどのように送信するか、コンパニオン通信デバイスの動作をいつ変更するか、又はコンパニオン通信デバイス上で実行されるアプリケーションの態様をいつ／どのように変更するか、などの１つ以上のアクションをとることを決定することができる。
【０００６】
本技術のいくつかの実施形態では、ウェアラブルデバイスは無線イヤホンであり、無線イヤホンがユーザの耳にいつ装着されたかを判定するためのセンサを含む。無線イヤホンは、無線イヤホンの装着状態の変化を示す信号を送信して、無線イヤホンがユーザの耳に装着されているかどうかを示すことができる。ペアリングされたコンパニオン通信デバイス、例えば電話は、無線イヤホンによって送信された信号を検出し、無線イヤホンの装着状態に基づいて無線イヤホンに音声データを送信するかどうかを判定することができる。例えば、コンパニオン通信デバイスは、無線イヤホンがユーザの耳に装着されているときは、無線イヤホンに音声データを送信することができ、無線イヤホンがユーザの耳に装着されていないときには、コンパニオン通信デバイスの代替出力部に音声データを送信することができる。
【０００７】
更に、無線イヤホンとペアリングされたコンパニオン通信デバイスは、無線イヤホンの装着状態の変化を示す信号に基づいて、例えば、無線イヤホンがユーザの耳に装着されているかどうかに基づいて、ペアリングされたコンパニオン通信デバイスの他の動作を制御することを決定することができる。いくつかの実施形態では、追加のユーザ設定、構成、などを必要とすることなく、無線イヤホンがユーザの耳に装着されていることの検出に応答して、無線イヤホンとペアリングされたコンパニオン通信デバイスで受信されている電話通話が応答され、電話通話からの音声データが無線イヤホンに送信される。また、いくつかの実施形態では、無線イヤホンとペアリングされたコンパニオン通信デバイス上でメディアアプリケーションが再生されているとき、コンパニオン通信デバイスは、無線イヤホンがユーザの耳に装着されているときには無線イヤホンに音声データを送信することができ、無線イヤホンがユーザの耳に装着されていない（例えば、取り外されている）ときには、再生を一時停止することができる。
【図面の簡単な説明】
【０００８】
上述の利点及び特徴並びに本開示の他の利点及び特徴を獲得することが可能な方式を説明するために、上記で概説された原理のより詳細な説明が、添付図面に示されるそれらの具体的な実施形態を参照して提示される。これらの図面は、本開示の例示的実施形態のみを示すものであり、したがって、本開示の範囲を限定するものとして見なされるべきではないことを理解して、以下の添付図面の使用を通じて、本明細書での原理が、更なる具体性及び詳細によって記載され、説明される。
【図１Ａ】本技術のいくつかの実施形態による、コンパニオン通信デバイスと無線でペアリングされた、例示的な無線イヤホンを示す図である。
【図１Ｂ】本技術のいくつかの実施形態による、１つ以上のコンパニオン通信デバイスとペアリングされた２つの結合型ウェアラブル無線イヤホンを有する、例示的なシステムを示す図である。
【図２】本技術のいくつかの実施形態による、無線イヤホンと無線でペアリングされたコンパニオン通信デバイスの動作を制御する、例示的な方法を示す図である。
【図３Ａ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｂ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｃ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｄ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｅ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｆ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｇ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｈ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｉ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｊ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｋ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｌ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｍ】本技術のいくつかの実施形態による、コンパニオン通信デバイスとペアリングされた無線イヤホンの装着状態の変化の例を示す図であり、コンパニオン通信デバイスの動作の変更がもたらされる。
【図３Ｎ】本技術のいくつかの実施形態による、コンパニオン通信デバイスとペアリングされた無線イヤホンの装着状態の変化の例を示す図であり、コンパニオン通信デバイスの動作の変更がもたらされる。
【図４】本技術のいくつかの実施形態による例示的な無線イヤホンケースを示す図である。
【図５Ａ】例示的な可能なシステムの実施形態を示す図である。
【図５Ｂ】例示的な可能なシステムの実施形態を示す図である。
【発明を実施するための形態】
【０００９】
本開示の様々な実施形態が、以下で詳細に論じられる。特定の実装が論じられるが、このことは、例示目的のためにのみ行われることを理解されたい。本開示の趣旨及び範囲から逸脱することなく、他の構成要素及び構成を使用することができる点が、関連技術の当業者には認識されるであろう。
【００１０】
開示された技術は、コンパニオン通信デバイスとペアリングしてウェアラブルデバイスとコンパニオン通信デバイスのペアリングの組み合わせの動作を、デバイスの装着状態、例えば、ウェアラブルデバイスが装着されているか、取り付けられている、又は取り外されているかどうか、に少なくとも部分的に基づいて制御することができる、ウェアラブルデバイスの技術での需要に対処するものである。本技術は、１つ以上のウェアラブルデバイスをコンパニオン通信デバイスとペアリングし、ウェアラブルデバイス及び／又はコンパニオン通信デバイスの１つ以上の動作を、ウェアラブルデバイスがユーザによって装着されているかどうか、及び／又はウェアラブルデバイスの装着状態の変化に基づいて、変更するためのシステム、方法、及び非一時的メディアを含む。
【００１１】
本開示全体を通じて使用される場合、用語「装着する」、「装着状態」、及び「装着された」は、ウェアラブル技術を使用することを可能にする１つ以上の方法で、ユーザの身体にウェアラブルな技術を身につける、又は別途それに関連付ける様々な方法を参照するのに使用され得る。
【００１２】
本技術のいくつかの実施形態では、ウェアラブルデバイスの装着状態を判定するためのセンサがウェアラブルデバイスの一部として含まれており、ウェアラブルデバイスはウェアラブルデバイスの装着状態及びウェアラブルデバイスの装着状態の変化をコンパニオン通信デバイスに通信して、コンパニオン通信デバイスの動作に影響を及ぼすように構成されている。本明細書に記載の多くの例は、コンパニオン通信デバイスの動作に影響を及ぼす無線イヤホンの装着状態を含む。しかし、本技術の利点を利用するために、広範なウェアラブル技術を構成することができる。例えば、ウェアラブルデバイスは、ウェアラブルデバイスの装着状態を検出するセンサを含み、ウェアラブルデバイスの装着状態をペアリングされたコンパニオン通信デバイスに通信するための通信インターフェースをも含む、眼鏡、サングラス、ヘッドホン、腕時計などを含むことができる。
【００１３】
図１Ａは、本技術のいくつかの実施形態による、コンパニオン通信デバイスと無線で結合する無線イヤホン１６５を示す。無線イヤホン１６５は、無線イヤホン１６５をコンパニオン通信デバイスとペアリングするのに使用することができる通信インターフェース１７５を備える。通信インターフェース１７５は、無線イヤホン１６５を別の無線イヤホンと結合して、一対の非つなぎ式無線イヤホンを形成するのに使用することもできる。
【００１４】
無線イヤホン１６５は、受信信号を音に変換する音声出力部１７０を備える。信号は、通信インターフェース１７５を介して、ペアリングされたコンパニオン通信デバイス（図示せず）から受信することができる。無線イヤホン１６５はまた、プロセッサ１８０、メモリ１８５、バッテリ１９０、マイクロフォン１９９、及び無線イヤホン１６５が耳に配置されたときを検出するための１つ以上のセンサ１９５を備えることもできる。センサ１９５は、無線イヤホンがユーザの耳にあるときを検出することができる任意の数及び任意のタイプのセンサであることができる。例えば、センサ１９５は、光近接センサ、圧力センサ、熱センサ、湿気センサ、などのいずれか又はすべてを備えることができる。更に、センサ１９５は、単一のタイプ又は複数のタイプであってもよい。
【００１５】
無線イヤホン１６５は、別の無線イヤホンと結合されて、一対の非つなぎ式無線イヤホンを形成することができる。いくつかの場合、結合された無線イヤホンのうちの一方が主要な役割を果たし、結合された無線イヤホンの他方は副次的な役割を果たす。この場合、前者は第１の無線イヤホンと呼ばれ、後者は、第２の無線イヤホンと呼ばれ得る。第１の無線イヤホンは、（ｉ）コンパニオン通信デバイスとのペアリングの形成、（ｉｉ）コンパニオン通信デバイスからの音声データの受信、（ｉｉｉ）音声データの第２の無線イヤホンへの送信、（ｉｖ）第２の無線イヤホンから耳内状態情報を受信、及び（ｖ）第１の無線イヤホン及び／又は第２の無線イヤホンの耳内状態に関するデータの、コンパニオン通信デバイスへの送信、を含む多くのアクションを実行することができる。
【００１６】
いくつかの実施形態では、無線イヤホン１６５はボタンなどの任意のタイプのユーザ入力を含まないので、ユーザは、無線イヤホン１６５に手動入力を明示的に与えて、無線イヤホン１６５がアクションを実行することをユーザが望むことを示すことができない。例えば、公知のヘッドホンは、接続されたスマートフォンからの着信通話に応答するのに使用されるヘッドホン上のボタンを含むことができる。
【００１７】
したがって、本技術は、ウェアラブルデバイスの装着状態を使用し、ウェアラブルデバイスの装着状態の変化を使用して、コンパニオン通信デバイスの動作に変化を生じさせることを含み、これは、コンパニオン通信デバイスで作動するアプリケーションの動作の変化を含むことができる。
【００１８】
コンパニオン通信デバイスの広範な動作は、無線イヤホンのどちらか又は両方の装着状態の変化に基づいて変更され得る。例えば、音楽アプリケーションに関連付けられた音声情報は、無線イヤホンがユーザの耳に挿入されると、ペアリングされた無線イヤホンに送信され得る。更に、無線イヤホンがユーザの耳に挿入されると、音声ストリームの送信は、例えば、スピーカから無線イヤホンに変更され得る。同様に、ペアリングされた無線イヤホンがユーザの耳に挿入されるか、又はユーザの耳から取り外されるときに、制御コンポーネント（例えば、「再生」命令又は「一時停止」命令）が実行され得る。
【００１９】
別の例では、ペアリングされたスマートフォンなどのペアリングされたコンパニオン通信デバイスで受信された着信音声通話は、ペアリングされた無線イヤホンがユーザの耳に配置（又は挿入）されていることを示すデータをコンパニオン通信デバイスが受信すると、コンパニオン通信デバイスによって自動的に応答され得る。また、音声通話からの音声をペアリングされた無線イヤホンに送信することができ、コンパニオン通信デバイスは、ペアリングされた無線イヤホンのマイクを介して取得したユーザの音声データを、ペアリングされた無線イヤホンから受信することができる。いくつかの実施形態では、音声通話は、コンパニオン通信デバイス上で実行する音声アプリケーションによって処理され得る。
【００２０】
本技術のいくつかの実施形態では、オペレーティングシステム又はデバイス（例えば、コンパニオン通信デバイス）の動作設定は、ペアリングされたウェアラブルデバイス（例えば、ペアリングされた無線イヤホン）の装着状態又は装着状態の変化に応答して変更され得る。例えば、コンパニオン通信デバイスは、コンパニオン通信デバイスを解除する前に、又はコンパニオン通信デバイスを使用して購入要求を完了する前に、指紋センサがユーザの指紋を確認することを要求するデフォルト設定を、オペレーティングシステムに埋め込まれて有することができる。本技術によれば、網膜スキャンを行うことができるカメラ付き眼鏡は、眼鏡をかけたユーザを検出し、装着状態の変化に基づいてユーザの網膜をスキャンしてユーザの識別情報を確認して、コンパニオン通信デバイスのオペレーティングシステムに、ユーザの識別情報を確認させてコンパニオン通信デバイスのロックを解除させるかユーザに購入要求を完了させる信号を、自動的に送信する。
【００２１】
本明細書では多くの動作が明示的に説明されているが、本開示の恩恵を受ける当業者であれば、ペアリングされたウェアラブルデバイスからの装着状態又は装着状態の変化を受信するコンパニオン通信デバイスによって広範な他の動作が変更され得ることを容易に理解するであろう。
【００２２】
図１Ｂは、本技術のいくつかの実施形態による、１つ以上のコンパニオン通信デバイス１１５、１２０、１２５とペアリングされた２つの結合されたウェアラブル無線イヤホン１６５、１１０を有するシステム１００を示す。無線イヤホン１６５は、第１の無線イヤホンとして機能することができ、無線イヤホン１１０は、第２の無線イヤホンとして機能することができる。第１の無線イヤホン１６５は、１つ以上のコンパニオン通信デバイス１１５、１２０、１２５とペアリングすることができ、第２の無線イヤホン１１０に音声データを送信することもできる。
【００２３】
無線イヤホン１６５、１１０は、センサ１９５を介して、無線イヤホン１６５、１１０がユーザの耳に装着されているときを検出することができる。第１の無線イヤホン１６５は、第２の無線イヤホン１１０から第２の無線イヤホン１１０の装着状態を記載するデータを受信することができる。また、第１の無線イヤホン１６５は、第１の無線イヤホン１６５がペアリングされたコンパニオン通信デバイス１１５、１２０、１２５に、自身の装着状態及び第２の無線イヤホン１１０の装着状態を送信することもできる。同様に、第１の無線イヤホン１６５は、ペアリングされたコンパニオン通信デバイス１１５、１２０、１２５からデータを受信することができ、データは、１つ以上の無線イヤホン１１０、１６５装着状態の変化に応じて、コンパニオン通信デバイス１１５、１２０、１２５の変化した動作を反映することができる。
【００２４】
図２は、本技術のいくつかの実施形態による、無線イヤホンと無線でペアリングされたコンパニオン通信デバイスの動作を制御する例示的な方法のフローチャート２００を示す。この方法は、２１０において、コンパニオン通信デバイスが、ペアリングされた無線イヤホンから、ペアリングされた無線イヤホンの装着状態を示す信号を受信することを含む。この方法は、２２０で、コンパニオン通信デバイスが、コンパニオン通信デバイスの音声データを、ペアリングされた無線イヤホンの装着状態に基づいてコンパニオン通信デバイスの出力部に送信することを更に含む。例えば、ペアリングされた無線イヤホンから受信した信号は、ペアリングされた無線イヤホンの装着状態を示すことができ、ペアリングされた無線イヤホンの装着状態が、ペアリングされた無線イヤホンがユーザの耳に装着されているというものである場合、コンパニオン通信デバイスは、コンパニオン通信デバイスの音声データを、ペアリングされた無線イヤホンに送信することができる。一方、ペアリングされた無線イヤホンから受信した信号が、ペアリングされた無線イヤホンの装着状態が、ペアリングされた無線イヤホンがユーザの耳に装着されていないことを示す場合、コンパニオン通信デバイスは、デフォルト出力部、直近で使用された出力部、別の利用可能な無線出力部、又はコンパニオン通信デバイスの他の出力部などの代替出力部に、音声データを送信することができる。
【００２５】
２３０において、本方法は、コンパニオン通信デバイスが、無線イヤホンの装着状態が変化したことを示す信号を、ペアリングされた無線イヤホンから受信することをも含む。これに応答して、２４０では、コンパニオン通信デバイスの動作を、ペアリングされた無線イヤホンから受信した信号に示される、ペアリングされた無線イヤホンの装着状態に少なくとも部分的に基づいて、変更することができる。
【００２６】
図３Ａ〜図３Ｎは、コンパニオン通信デバイスとペアリングされた無線イヤホンの装着状態の変化の例を示し、装着状態の変化が本技術のいくつかの実施形態によるコンパニオン通信デバイスの動作を変更させる。
【００２７】
図３Ａは、音声通話を受信しているもののコンパニオン通信デバイス３５０のオンスクリーン通話応答ボタンが押されていない、コンパニオン通信デバイス３５０とペアリングされた無線イヤホン３００を示す。図３Ｂに示すように、無線イヤホン３００は、イヤホンが耳に装着されたときを検出することができ、耳外から耳内への装着状態の変化を示す信号をコンパニオン通信デバイス３５０に送信することができる。コンパニオン通信デバイス３５０は、受信された信号を使用して、着信音声通話に自動的に応答するなど１つ以上のアクションを実行し、音声通話からの音声をペアリングされた無線イヤホン３００に送信し、無線イヤホン３００のマイクロフォンを介して取得されたユーザ音声データを受信することができる。
【００２８】
本技術は、無線イヤホンを耳に配置して、ユーザの設定、構成、などのいずれも行わずに音声通話に自動的に応答するアクションを可能にする。また、以下により詳細に記載するように、いくつかの実施形態では、一対の無線イヤホンを収容する無線イヤホンケースを開くことによって、無線イヤホンを発見可能にすることができ、ユーザのコンパニオン通信デバイスとペアリングすることができる。したがって、本発明の技術は、無線イヤホンケースを開けた後に、ユーザの設定を必要とせず、ユーザの耳に一方又は両方の無線イヤホンを配置することによって、ユーザに音声通話に自動的に応答する能力を提供することができる。
【００２９】
次に、図３Ｃに示すように、コンパニオン通信デバイス３５０は、ペアリングされた無線イヤホン３００から、無線イヤホンがユーザの耳から取り外されたときなど、無線イヤホンの装着状態が耳内から耳外に変化したことを示す信号を受信することができる。同様に、図３Ｄに示すように、コンパニオン通信デバイス３５０は、無線イヤホン３００はもはやコンパニオン通信デバイス３５０とペアリングされていないと判定することができる。図３Ｃ及び図３Ｄに示された事象の場合、コンパニオン通信デバイス３５０は、音声通話用の音声を、コンパニオン通信デバイス３５０のスピーカ、代替出力部（例えば、以前に接続された無線スピーカ、車両無線システムなど）など、コンパニオン通信デバイス３５０の異なる出力部に送信することを決定することができる。
【００３０】
図３Ｅは、音声通話を受信し、コンパニオン通信デバイス３５０のオンスクリーン通話応答ボタンが押された、コンパニオン通信デバイス３５０とペアリングされた無線イヤホン３００を示す。まず、図３Ｆに示すように、音声通話は、コンパニオン通信デバイス３５０のスピーカ（又はコンパニオン通信デバイス３５０のユーザによって指定された代替出力部）に送信された音声で応答される。しかし、図３Ｇに示すように、コンパニオン通信デバイス３５０が、無線イヤホン３００がユーザの耳に装着されていることを示す、無線イヤホン３００の装着状態の変化を示す信号を受信すると、コンパニオン通信デバイス３５０は、音声通話からの音声をペアリングされた無線イヤホン３００に送信する。更に、コンパニオン通信デバイス３５０は、無線イヤホン３００のマイクロフォンを介して取得された、無線イヤホン３００からのユーザ音声出力を受信する。
【００３１】
図３Ｈは、コンパニオン通信デバイス３５０とペアリングされた無線イヤホン３００と、コンパニオン通信デバイス３５０で受信された音声通話を示す。コンパニオン通信デバイス３５０のオンスクリーンコール応答ボタンを押すことによってユーザが音声通話に応答すると、コンパニオン通信デバイス３５０は、無線イヤホン３００の耳内状態を示す無線イヤホン３００から受信した信号に基づいて、音声通話の音声をペアリングされた無線イヤホン３００に自動的に送信することができる。更に、コンパニオン通信デバイス３５０は、無線イヤホン３００のマイクロフォンを介して取得された音声通話のユーザ音声データを、無線イヤホン３００から受信することができる。
【００３２】
上述のように、コンパニオン通信デバイスの広範な動作は、ペアリングされたウェアラブルデバイスの装着状態及び／又は装着状態の変化を示す信号を受信するコンパニオン通信デバイスに少なくとも部分的に基づいて、制御することができる。
【００３３】
図３Ｉは、音楽アプリケーション、又はコンパニオン通信デバイス３５０上で実行する他のメディアアプリケーションを介して音声を再生するコンパニオン通信デバイス３５０とペアリングされた、無線イヤホン３００を示す。図３Ｊに示すように、無線イヤホン３００は、無線イヤホン３００が耳に配置されたときを検出することができ、かつ無線イヤホン３００の装着状態の変化、例えば、耳外から耳内へ、を示す信号をコンパニオン通信デバイス３５０に送信することができる。コンパニオン通信デバイス３５０は、無線イヤホン３００から受信した信号を使用して、コンパニオン通信デバイス３５０上で実行する音楽／メディアアプリケーションの音声を、ペアリングされた無線イヤホン３００に自動的に送信することができる。
【００３４】
次に、図３Ｋ及び図３Ｌに示すように、コンパニオン通信デバイス３５０は、無線イヤホン３００がユーザの耳から取り外されたときなど、無線イヤホン３００の装着状態が変化したことを示す信号を、ペアリングされた無線イヤホン３００から受信することができる。図３Ｋに示すように、コンパニオン通信デバイス３５０は、音楽／音声の再生を一時停止することを決定することができ、又は、図３Ｌに示すように、コンパニオン通信デバイス３５０は、音楽／音声を、コンパニオン通信デバイス３５０のスピーカ若しくはコンパニオン通信デバイス３５０の代替出力部に（例えば、以前に接続された無線スピーカに、車両無線システムに、など）送信するように決定することができる。いくつかの実施形態では、コンパニオン通信デバイス３５０のユーザは、コンパニオン通信デバイス３５０がペアリングされた無線イヤホン３００の装着状態の変化（例えば、耳内から耳外へ）に起因して音楽アプリケーションを一時停止させた後に、コンパニオン通信デバイス３５０のオンスクリーンボタンを押して音楽アプリケーションを再生させることができる。あるいは、コンパニオン通信デバイス３５０は、ペアリングされた無線イヤホン３００の装着状態の変化（例えば、耳外から耳内へ）を示す後続の信号を受信することができ、コンパニオン通信デバイス３５０上で実行する音楽アプリケーションに、音楽／音声の再生を再開させ、ペアリングされた無線イヤホン３００に音楽／音声を送信させることができる。
【００３５】
いくつかの場合、コンパニオン通信デバイスの動作は、一対の結合された無線イヤホン内の両方の無線イヤホンの装着状態に基づくことができる。例えば、一対の結合された無線イヤホンのうちの第１の無線イヤホンは、第２の無線イヤホンから装着状態データを受信し、両方の無線イヤホンの装着状態をコンパニオン通信デバイスに提供することができる。あるいは、一対の結合された無線イヤホンのうちの各無線イヤホンは、装着状態をコンパニオン通信デバイスに提供することができる。どちらの場合でも、コンパニオン通信デバイスは、両方の無線イヤホンの装着状態に基づいてその動作を変更することができる。例えば、コンパニオン通信デバイスは、一対の結合された無線イヤホンの両方の無線イヤホンがユーザの耳に装着されていない場合にのみ、自動的に音声を一時停止することができる。別の例では、コンパニオン通信デバイスは、１つの無線イヤホンのみがユーザの耳に装着されている場合には、モノラルで無線イヤホンに音声を送信することができ、両方の無線イヤホンがユーザの耳に装着されている場合には、ステレオで無線イヤホンに音声を送信することができる。いくつかの場合、コンパニオン通信デバイスは、単一のデバイスから、一対のデバイスから、２つ以上の無関係のデバイスから、などの装着状態の受信に応答して、その動作を変更することができる。例えば、コンパニオン通信デバイスが、ユーザが音声出力できる無線イヤホンを装着していること、かつ視覚出力を提供できる眼鏡をも装着していることを検出したとき、コンパニオン通信デバイスは、ビデオ通話の音声情報を無線イヤホンに送信することができ、かつビデオ通話のビデオコンポーネントを眼鏡に送信することができる。
【００３６】
図３Ｍは、テキストメッセージを受信しているコンパニオン通信デバイス３６０とペアリングされた無線イヤホン３００を示す。無線イヤホン３００は、無線イヤホン３００がユーザの耳に配置されたときを検出することができ、無線イヤホン３００の装着状態の変化（例えば、耳外から耳内へ）を示す信号を、コンパニオン通信デバイス３６０に送信することができる。図３Ｎに示すように、コンパニオン通信デバイス３６０が、所定の条件下（例えば、所定の閾値時間内）にて、耳外から耳内への無線イヤホン３００の装着状態の変化を示す信号を受信したことに応答して、コンパニオン通信デバイス３６０は、音声テキスト化ソフトウェアを使用してテキストメッセージを変換させて、ユーザに再生することができるように、ペアリングされた無線イヤホン３００に音声データとして送信させることができる。更に、テキストメッセージに対応する音声の再生が終了した後、無線イヤホン３００は、無線イヤホンのマイクロフォンを介して取得したユーザの音声データをコンパニオン通信デバイス３６０に送信することができ、コンパニオン通信デバイス３６０は、音声テキスト化ソフトウェアを使用して応答テキストメッセージを自動的に作成することができる。
【００３７】
いくつかの実施形態では、コンパニオン通信デバイスは、ペアリングされたウェアラブルデバイスに信号を送信して、１つ以上の機能をオーバーライドして、装着状態及び／又は装着状態の変化を示す信号がコンパニオン通信デバイスのオペレーティング動作を変化させることを可能にする。
【００３８】
本技術のいくつかの実施形態では、コンパニオン通信デバイスは、ペアリングされたウェアラブルデバイスから、ウェアラブルデバイスが充電されていること、ケースに収容されていること、ケース内で充電中であることなどを示す信号を受信することができる。コンパニオン通信デバイスは、そのようなタイプの事象に基づいて特定のアクションを実行するかどうかを決定することができる。例えば、コンパニオン通信デバイスがケース内に収納されたウェアラブルデバイスとペアリングされている場合、コンパニオン通信デバイスはポーリング処理を実行して、コンパニオン通信デバイスとペアリングする他のデバイスを特定することができる。
【００３９】
図４は、本技術のいくつかの実施形態による無線イヤホンケース４００を示す。無線イヤホンケース４００は、一対の無線イヤホン４０５、４１０を収容し、無線イヤホンケース４００内に収容されている間、無線イヤホン４０５、４１０を接続することができる。無線イヤホンケース４００は、無線イヤホンケース４００内に収容された無線イヤホン４０５、４１０を覆うように閉じるカバー４４５を備えることができ、無線イヤホンケース４００は、無線イヤホンケース４００のカバー４４５が開かれたとき及び無線イヤホンケース４００のカバー４４５が閉じられたときを検出するセンサ４５５を備えることができる。いくつかの実施形態では、無線イヤホン４０５、４１０は、無線イヤホンケース４００が初めて開かれたときに自動的にコンパニオン通信デバイスとペアリングするように、構成される。
【００４０】
無線イヤホンケース４００はまた、無線イヤホン４０５、４１０を再充電するために使用することができるバッテリ４３０及びバッテリ４３０を電源に接続するための充電インターフェース４３５をも備える。無線イヤホンケース４００はまた、無線イヤホン４０５、４１０及び無線イヤホンケース４００の充電状態を示すインジケータ４４０を備えることもできる。無線イヤホンケース４００はまた、無線イヤホンケース４００内の無線イヤホン４０５、４１０を互いにペアリングさせる、及び／又は、コンパニオン通信デバイスなどの他のデバイスに発見可能にさせる手動入力を受信するための、押しボタンなどの入力４６０をも備える。
【００４１】
無線イヤホンケース４００はまた、プロセッサ４２０、メモリ４２５、及び通信インターフェース４５０をも備えることができ、それらは通信インターフェース４５０を介して無線イヤホン４０５、４１０間にリンク４１５を作成するのに使用され得る。
【００４２】
無線イヤホン４０５、４１０は、コンパニオン通信デバイスとペアリングされ得る。コンパニオン通信デバイスは、一対の無線イヤホン４０５、４１０から信号を受信することができ、その信号は、無線イヤホン４０５、４１０が無線イヤホンケース４００に収容されていること、無線イヤホンケース４００内で充電していることなどを示す。コンパニオン通信デバイスは、そのような事象に基づいて、例えば、１つ以上の無線イヤホン４０５、４１０の装着状態、１つ以上の無線イヤホン４０５、４１０に対する収容の表示、及び／又は１つ以上の無線イヤホン４０５、４１０の充電状態に少なくとも部分的に基づいて、特定の動作を実行するかどうかを決定することができる。
【００４３】
本技術のいくつかの実施形態では、コンパニオン通信デバイスは、オペレーティングシステム設定、アプリケーションの好みの設定、ユーザインターフェース設定などのカスタマイズを可能にするオペレーティングシステムを実行することができる。その結果、音声コンポーネントを有する複数のアプリケーションを、コンパニオン通信デバイス上で同時に実行することができる。したがって、事象（例えば、音楽が音楽プレーヤーによって出力されるとき）の発生に応答してウェアラブルデバイスに音声（又はより一般的にはメディア）を自動的に送信する決定は、直観的ではない。したがって、本技術のいくつかの実施形態は、コンパニオン通信デバイスとペアリングして、コンパニオン通信デバイスにウェアラブルデバイスへの音声（又はより一般的にはメディア）を許可する表示を提供させる、ウェアラブルデバイスを含む。例えば、無線イヤホンをラップトップとペアリングし、続いて無線イヤホンから、無線イヤホンがユーザの耳に装着されていることを示す信号を受信することにより、ラップトップに、ラップトップ上で動作しているアプリケーション（例えば、ビデオチャットアプリケーション、音楽プレーヤアプリケーションなど）からウェアラブルデバイスに音声を送信するためのユーザ選択可能な制御を可能にする音声の送信ルートを発行させることができる。コンパニオン通信デバイスが、無線イヤホンが装着されていない、例えば、ユーザの耳から取り外されていることを示す信号を受信したときには、コンパニオン通信デバイスは音声送信ルートとしての無線イヤホンを取り消す（例えば、発行しない）ことができ、デフォルトの音声送信ルート又は以前に使用した音声送信ルートなどの別の音声送信ルートに戻すことができる。
【００４４】
一実施形態では、コンパニオン通信デバイスによって実行される方法は、無線イヤホンから受信した第１の信号に基づいて、ユーザが無線イヤホンを装着しているかどうかを示す第１の装着状態を判定することと、コンパニオン通信デバイスの音声情報を第１の装着状態に基づいて第１の出力部に送信することと、無線イヤホンから受信した第２の信号に基づいて、無線イヤホンの装着状態の第２の装着状態への変化を検出することと、無線イヤホンの装着状態の変化に少なくとも部分的に基づいて、コンパニオン通信デバイスの動作を変更することと、を含む。
【００４５】
いくつかの実施形態では、コンパニオン通信デバイスの音声情報を第１の出力部に送信することは、第１の装着状態が、ユーザが無線イヤホンを装着している、又はユーザがユーザの耳に無線イヤホンを配置したことを示すときに、コンパニオン通信デバイスの無線通信インターフェースを介して、コンパニオン通信デバイスの音声情報を無線イヤホンに送信することを含む。いくつかの実施形態では、無線イヤホンの装着状態の第２の装着状態への変化を検出することは、無線イヤホンがユーザの耳から取り外されたときを検出することを含む。いくつかの実施形態では、コンパニオン通信デバイスの動作を変更することは、ユーザが無線イヤホンを装着しておらず無線イヤホンがユーザの耳から取り外されているとき、コンパニオン通信デバイスの音声情報を代替出力部に送信することを含む。いくつかの実施形態では、代替出力部は、コンパニオン通信デバイスの音声情報を無線イヤホンに送信する前に音声再生に使用される、コンパニオン通信デバイスの出力部を含む。いくつかの実施形態では、コンパニオン通信デバイスの動作を変更することは、無線イヤホンがユーザの耳から取り外されたときに、コンパニオン通信デバイスの音声情報を一時停止することを含む。いくつかの実施形態では、無線イヤホンの装着状態の変化を検出することは、無線イヤホンがユーザの耳に配置されたときを検出することを含む。いくつかの実施形態では、コンパニオン通信デバイスの動作を変更することは、無線イヤホンがユーザの耳に配置されたときに、コンパニオン通信デバイスの無線通信インターフェースを介して、コンパニオン通信デバイスの音声情報を無線イヤホンに送信することを含む。いくつかの実施形態では、コンパニオン通信デバイスの音声情報は、音声通話用の音声アプリケーションに関連付けられた音声情報を含み、コンパニオン通信デバイスの動作を変更することは、無線イヤホンがユーザの耳に配置されたときに、着信音声通話に応答し、着信音声通話用の音声アプリケーションに関連付けられた音声情報を、コンパニオン通信デバイスの無線通信インターフェースを介して無線イヤホンに送信することを含む。
【００４６】
一実施形態では、ウェアラブルデバイスは、プロセッサと、ウェアラブルデバイスが装着されているかどうかを示す第１の装着状態を判定するように構成されたセンサと、ウェアラブルデバイスをコンパニオン通信デバイスとペアリングし、コンパニオン通信デバイスに、第１の装着状態に基づいてコンパニオン通信デバイスにコンパニオン通信デバイスの音声情報を第１の出力部に送信させるように構成される通信インターフェースと、を備え、センサは、第２の装着状態へのウェアラブルデバイスの装着状態の変化を検出するように更に構成され、通信インターフェースは、コンパニオン通信デバイスに信号を送信して、コンパニオン通信デバイスに、ウェアラブルデバイスの装着状態の変化に少なくとも部分的に基づいて、コンパニオン通信デバイスの動作を変更させるように更に構成される。
【００４７】
いくつかの実施形態では、ウェアラブルデバイスはスピーカを更に含み、通信インターフェースは、コンパニオン通信デバイスの音声情報を受信するように更に構成され、プロセッサは、第１の出力部としてのウェアラブルデバイスのスピーカを介してコンパニオン通信デバイスの音声情報を再生するように構成される。いくつかの実施形態では、センサは、ウェアラブルデバイスがユーザによって装着されていないときを検出するように更に構成される。いくつかの実施形態では、コンパニオン通信デバイスに送信される信号は、コンパニオン通信デバイスに、ウェアラブルデバイスが装着されていないときに、コンパニオン通信デバイスの音声情報を代替出力部に送信させる。いくつかの実施形態では、コンパニオン通信デバイスにコンパニオン通信デバイスの動作を変更させる信号は、ウェアラブルデバイスの装着状態が変化してウェアラブルデバイスはもはや装着されていないことを示したとき、音声情報を一時停止する信号を含む。いくつかの実施形態では、センサは、ウェアラブルデバイスが耳に配置されたときを検出するように更に構成される。いくつかの実施形態では、コンパニオン通信デバイスにコンパニオン通信デバイスの動作を変更させるコンパニオン通信デバイスへの信号は、ウェアラブルデバイスが耳の中に配置されたときコンパニオン通信デバイスにコンパニオン通信デバイスの音声情報をウェアラブルデバイスに送信させる。いくつかの実施形態では、コンパニオン通信デバイスの音声情報は、音声通話用の音声アプリケーションの音声情報を含み、コンパニオン通信デバイスの動作を変更することは、ウェアラブルデバイスが耳に配置されたときに、着信音声通話に応答することと、着信音声通話用の音声アプリケーションの音声情報をウェアラブルデバイスに送信することと、を含む。
【００４８】
一実施形態では、コンパニオン通信デバイスによって実行される方法は、無線イヤホンから受信した第１の信号に基づいて、ユーザが無線イヤホンを装着しているかどうかを示す第１の装着状態を判定することと、コンパニオン通信デバイスで着信音声通話を受信することと、第１の装着状態が、ユーザが無線イヤホンを装着していることを示すとき、音声通話に応答することと、音声通話の音声情報を無線イヤホンに送信することと、を含む。
【００４９】
いくつかの実施形態では、方法は、第１の装着状態が、ユーザが無線イヤホンを装着していないことを示すとき、無線イヤホンから受信した第２の信号に基づいて、ユーザが無線イヤホンをユーザの耳に挿入したことを示す第２の装着状態への無線イヤホンの装着状態の変化を検出することと、無線イヤホンの装着状態の第２の装着状態への変化を検出したことに応答して、音声通話の音声情報を無線イヤホンに送信することと、を更に含む。いくつかの実施形態では、方法は、無線イヤホンから受信した第３の信号に基づいて、ユーザが無線イヤホンをユーザの耳にから取り外したことを示す第３の装着状態への無線イヤホンの装着状態の変化を検出することと、無線イヤホンの装着状態の第３の装着状態への変化を検出したことに応答して、音声通話の音声情報をコンパニオン通信デバイスのスピーカに送信することと、を更に含む。
【００５０】
一実施形態では、ウェアラブルデバイスによってコンパニオン通信デバイスの動作を変更する方法は、ウェアラブルデバイスをコンパニオン通信デバイスとペアリングすることと、ウェアラブルデバイスのセンサを使用して、ユーザがウェアラブルデバイスを装着しているかどうかを示す第１の装着状態を判定することと、コンパニオン通信デバイスに、第１の装着状態に基づいて、第１の出力部にコンパニオン通信デバイスの音声情報を送信させる信号を送信することと、ウェアラブルデバイスの装着状態の第２の装着状態への変化を検出することと、コンパニオン通信デバイスに、ウェアラブルデバイスの装着状態の変化に少なくとも部分的に基づいて、コンパニオン通信デバイスにコンパニオン通信デバイスの動作を変更させる信号を送信することと、を含む。
【００５１】
一実施形態では、非一時的コンピュータ可読記憶媒体が命令を記憶し、命令は、コンピューティングデバイスによって実行されるときに、コンピューティングデバイスに、無線イヤホンから受信した第１の信号に基づいて、ユーザが無線イヤホンを装着しているかどうかを示す第１の装着状態を判定することと、第１の装着状態に基づいてコンピューティングデバイスの音声情報を第１の出力部に送信することと、無線イヤホンから受信した第２の信号に基づいて、無線イヤホンの装着状態の第２の装着状態への変化を検出することと、無線イヤホンの装着状態の変化に少なくとも部分的に基づいて、コンピューティングデバイスの動作を変更することと、を含む方法を実行させる。
【００５２】
一実施形態では、装置は、無線イヤホンから受信した第１の信号に基づいて、ユーザが無線イヤホンを装着しているかどうかを示す第１の装着状態を判定する手段と、第１の装着状態に基づいてコンピューティングデバイスの音声情報を第１の出力部に送信する手段と、無線イヤホンから受信した第２の信号に基づいて、無線イヤホンの装着状態の第２の装着状態への変化を検出する手段と、無線イヤホンの装着状態の変化に少なくとも部分的に基づいて、コンピューティングデバイスの動作を変更する手段と、を含む。
【００５３】
図５Ａ及び図５Ｂは、例示的な可能なシステムの実施形態を示す。図５Ａは、システムのコンポーネントがバス５０５を使用して互いに電気的に通信する、従来のシステムバスコンピューティングシステムアーキテクチャ５００を示す。例示的なシステム５００は、プロセッサ（ＣＰＵ又はプロセッサ）５１０と、読み取り専用メモリ（ＲＯＭ）５２０及びランダムアクセスメモリ（ＲＡＭ）５２５などのシステムメモリ５１５を含む様々なシステムコンポーネントをプロセッサ５１０に結合するシステムバス５０５とを含む。システム５００は、直接結合された、近接した、又はプロセッサ５１０の一部として統合された、高速メモリのキャッシュを含むことができる。システム５００は、プロセッサ５１０による迅速なアクセスのために、データをメモリ５１５及び／又は記憶デバイス５３０からキャッシュ５１２に複製することができる。この方法により、キャッシュはパフォーマンスブーストを提供し、データを待機している間にプロセッサ５１０が遅延することを回避することができる。これらの及び他のモジュールは、様々なアクションを実行するためにプロセッサ５１０を制御することができる、又は制御するように構成され得る。他のシステムメモリ５１５も同様に、使用するために利用可能であり得る。メモリ５１５は、異なる性能特性を備える複数の異なるタイプのメモリを含むことができる。プロセッサ５１０は、任意の汎用プロセッサ、並びに、記憶デバイス５３０に記憶されたモジュール１  ５３２、モジュール２  ５３４、及びモジュール３  ５３６などのハードウェアモジュール又はソフトウェアモジュールを含むことができ、プロセッサ５１０、及びソフトウェア命令が実際のプロセッサ設計に組み込まれている専用プロセッサを制御するように構成されている。プロセッサ５１０は、本質的に、複数のコア又はプロセッサ、バス、メモリコントローラ、キャッシュ、などを含む、完全自立型コンピューティングシステムであってよい。マルチコアプロセッサは、対称又は非対称であってもよい。
【００５４】
コンピューティングデバイス５００とのユーザ対話を可能にするために、入力デバイス５４５は、会話用のマイクロフォン、ジェスチャ又は図形入力用のタッチ感知スクリーン、キーボード、マウス、モーション入力、会話などの、任意の数の入力機構を表すことができる。出力デバイス５３５もまた、当業者には公知の多くの出力機構のうちの、１つ以上とすることができる。いくつかの例では、多モードシステムにより、ユーザは、コンピューティングデバイス５００と通信するために、複数のタイプの入力部を設けることが可能となる。通信インターフェース５４０は、ユーザ入力部及びシステム出力部を、全般的に統制及び管理することができる。いずれかの特定のハードウェア構成上で動作することに対する制限は存在せず、したがって、本明細書における基本的特徴は、開発される改善されたハードウェア又はファームウェアの構成に容易に置き換えることができる。
【００５５】
記憶デバイス５３０は不揮発性メモリであり、磁気カセット、フラッシュメモリカード、ソリッドステートメモリデバイス、デジタル多用途ディスク、カートリッジ、ランダムアクセスメモリ（ＲＡＭ）５２５、読み出し専用メモリ（ＲＯＭ）５２０、及びそれらのハイブリッドなどの、コンピュータによってアクセス可能なデータを記憶することができるハードディスク又は他のタイプのコンピュータ可読媒体であり得る。
【００５６】
記憶デバイス５３０は、プロセッサ５１０を制御するための、ソフトウェアモジュール５３２、５３４、５３６を含むことができる。他のハードウェア又はソフトウェアモジュールも想到される。記憶デバイス５３０は、システムバス５０５に接続され得る。一態様では、特定の機能を実行するハードウェアモジュールは、その機能を実行するために、プロセッサ５１０、バス５０５、出力デバイス５３５などの必要なハードウェア構成要素と関連付けられたコンピュータ可読媒体に記憶されたソフトウェアコンポーネントを含むことができる。
【００５７】
図５Ｂは、記載された方法を実行し、グラフィカルユーザインターフェース（ＧＵＩ）を生成して表示するのに使用できるチップセットアーキテクチャを有するコンピュータシステム５５０を示す。コンピュータシステム５５０は、開示された技術を実施するのに使用することができるコンピュータハードウェア、ソフトウェア、及びファームウェアの一例である。システム５５０は、識別された計算を実行するように構成されたソフトウェア、ファームウェア、及びハードウェアを実行することができる任意の数の物理的及び／又は論理的に異なるリソースを表すプロセッサ５５５を含むことができる。プロセッサ５５５は、プロセッサ５５５への入力及びプロセッサ５５５からの出力を制御し得るチップセット５６０と通信することができる。この例では、チップセット５６０は情報をディスプレイなどの出力部５６５に出力し、磁気媒体及び固体媒体を含み得る記憶デバイス５７０に情報を読み書きすることができる。チップセット５６０は、ＲＡＭ５７５からデータを読み取り、ＲＡＭ５７５にデータを書き込むこともできる。チップセット５６０とインターフェースするために、様々なユーザインターフェースコンポーネント５８５とインターフェースするためのブリッジ５８０を設けることができる。そのようなユーザインターフェースコンポーネント５８５は、キーボード、マイクロフォン、タッチ検出及び処理回路、マウスなどのポインティングデバイス、などを含むことができる。一般に、システム５５０への入力は、機械生成の及び／又は人間が生成した任意の様々なソースからもたらされ得る。
【００５８】
チップセット５６０は、異なる物理的インターフェースを有し得る１つ以上の通信インターフェース５９０とインターフェースすることもできる。そのような通信インターフェースは、有線及び無線のローカルエリアネットワーク、ブロードバンド無線ネットワーク、及びパーソナルエリアネットワークのためのインターフェースを含むことができる。本明細書で開示されたＧＵＩを生成、表示、及び使用する方法のいくつかのアプリケーションは、物理的インターフェースを介して順序付けられたデータセットを受信することを含み得る、又はプロセッサ５５５が記憶デバイス５７０に記憶されたデータを解析することによって、機械自体によって生成され得る。更に、機械は、ユーザインターフェースコンポーネント５８５を介してユーザからの入力を受信し、プロセッサ５５５を使用してこれらの入力を解釈することによって機能をブラウズするなどの適切な機能を実行することができる。
【００５９】
例示的なシステム５００及び５５０は、２つ以上のプロセッサ５１０を有することができ、又はより大きな処理能力を提供するために互いにネットワーク化されたコンピューティングデバイスのグループ若しくはクラスタの一部であり得ることが理解されよう。
【００６０】
説明を明確にするために、いくつかの例では、本技術は、ソフトウェア、又はハードウェアとソフトウェアの組み合わせで具現化された方法におけるデバイス、デバイスコンポーネント、ステップ若しくはルーチンを含む機能ブロックを含む個々の機能ブロックを含むものとして提示され得る。
【００６１】
いくつかの実施形態では、コンピュータ可読記憶デバイス、媒体、及びメモリは、ビットストリームなどを含むケーブル又は無線信号を含むことができる。しかしながら、言及される場合、非一時的コンピュータ可読記憶媒体は、エネルギ、搬送波信号、電磁波、及び信号そのものなどの媒体を明示的に排除する。
【００６２】
上記の例による方法は、コンピュータ可読媒体から記憶された、又は別の方法で利用可能なコンピュータ実行可能命令を使用して実行され得る。そのような命令は、例えば、汎用コンピュータ、専用コンピュータ、又は特殊用途処理デバイスに特定の機能又は機能のグループを実行させるか、さもなければ実行するように構成する命令及びデータを含むことができる。使用されるコンピュータリソースの一部は、ネットワークを介してアクセス可能である。コンピュータ実行可能命令は、例えば、バイナリや、アセンブリ言語、ファームウェア、又はソースコードなどの中間フォーマット命令であってもよい。記述された例による方法の間に命令、使用された情報、及び／又は作成された情報を記憶するために使用され得るコンピュータ可読媒体の例には、磁気又は光学ディスク、フラッシュメモリ、不揮発性メモリを備えたユニバーサルシリアルバス（ＵＳＢ）、ネットワーク記憶デバイス、などが含まれる。
【００６３】
これらの開示による方法を実施するデバイスは、ハードウェア、ファームウェア、及び／又はソフトウェアを含むことができ、任意の様々なフォームファクタをとることができる。そのようなフォームファクタの典型的な例には、ラップトップ、スマートフォン、小型フォームファクタのパーソナルコンピュータ、パーソナルデジタルアシスタントなどが含まれる。本明細書に記載する機能性は、周辺機器又はアドインカードにも組み込まれ得る。そのような機能は、別の例として、異なるチップ間の回路基板上又は単一のデバイス内で実行される異なるプロセス上でも実行され得る。
【００６４】
命令、そのような命令を伝達するための媒体、それらを実行するためのコンピューティングリソース、及びそのようなコンピューティングリソースをサポートするための他の構造は、これらの開示に記載された機能を提供するための手段である。
【００６５】
添付の特許請求の範囲の内の態様を説明するために様々な例及び他の情報が使用されたが、当業者はこれらの例を広範な実行を導くのに使用することができるので、そのような例における特定の特徴又は配置に基づいて、特許請求の範囲のいかなる限定も示唆されるべきでない。更に、いくつかの主題事項は、構造的特徴及び／又は方法ステップの例に特有の言語で記載されているかもしれないが、添付の特許請求の範囲に定義された主題事項はこれらの記載された特徴又は動作に必ずしも限定されないことを理解されたい。例えば、そのような機能は、異なって分散され得るか、又は本明細書で特定されたもの以外のコンポーネントで実行され得る。むしろ、記載された特徴及びステップは、添付の特許請求の範囲内のシステム及び方法の構成要素の例として開示される。
【図１Ａ】
2020031444.tif 000003
【図１Ｂ】
2020031444.tif 000004
【図２】
2020031444.tif 000005
【図３Ａ】
2020031444.tif 000006
【図３Ｂ】
2020031444.tif 000007
【図３Ｃ】
2020031444.tif 000008
【図３Ｄ】
2020031444.tif 000009
【図３Ｅ】
2020031444.tif 000010
【図３Ｆ】
2020031444.tif 000011
【図３Ｇ】
2020031444.tif 000012
【図３Ｈ】
2020031444.tif 000013
【図３Ｉ】
2020031444.tif 000014
【図３Ｊ】
2020031444.tif 000015
【図３Ｋ】
2020031444.tif 000016
【図３Ｌ】
2020031444.tif 000017
【図３Ｍ】
2020031444.tif 000018
【図３Ｎ】
2020031444.tif 000019
【図４】
2020031444.tif 000020
【図５Ａ】
2020031444.tif 000021
【図５Ｂ】
2020031444.tif 000022
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
コンパニオン通信デバイスと組み合わされた無線イヤホンにより、
前記無線イヤホンがユーザの耳に挿入されたかを示す第１の装着状態を検出すること、
前記第１の装着状態の検出に応答して第１の信号を前記コンパニオン通信デバイスに送信し、前記コンパニオン通信デバイスが音声データを前記無線イヤホンへ送信することを生じさせること、
前記第１の信号の送信の後で、前記第１の装着状態から、前記無線イヤホンが前記ユーザの耳に挿入されていないことを示す第２の装着状態への状態変化を検出すること、
前記第２の装着状態への状態変化の検出に応答して前記コンパニオン通信デバイスに第２の信号を送信し、前記コンパニオン通信デバイスが前記音声データを前記無線イヤホンへ送信することを停止すること、
を含む方法。
【請求項２】
前記コンパニオン通信デバイスが、無線通信インタフェースを介して前記音声データを前記無線イヤホンへ送信する、請求項１に記載の方法。
【請求項３】
前記無線イヤホンは、前記ユーザの耳に前記無線イヤホンが挿入されているかを検出するセンサを含む、請求項１に記載の方法。
【請求項４】
前記無線イヤホンは第２の無線イヤホンと組み合わされる、請求項１に記載の方法。
【請求項５】
前記第２の装着状態は、前記ユーザの耳に挿入されているのが、前記無線イヤホンでもなければ前記第２の無線イヤホンでもないことを示す、請求項４に記載の方法。
【請求項６】
前記第２の信号は、前記コンパニオン通信デバイスが前記音声データを一時停止することを示す、請求項１に記載の方法。
【請求項７】
前記第２の装着状態から第１の装着状態への第２の状態変化を検出すること、
前記第２の状態変化の検出に応答して前記コンパニオン通信デバイスに第３の信号を送信し、前記コンパニオン通信デバイスが前記音声データを前記無線イヤホンへ送信することを生じさせること、
を更に含む、請求項１に記載の方法。
【請求項８】
前記第３の信号は受けとる音声電話と同時に発生し、前記第３の信号は前記音声電話に返答するよう前記コンパニオン通信デバイスに指示する、請求項７に記載の方法。
【請求項９】
前記第３の信号の送信の後で、前記無線イヤホンは、前記無線イヤホンのマイクロフォンを介して取得した音声データを前記コンパニオン通信デバイスに送信する、請求項８に記載の方法。
【請求項１０】
前記第３の信号は、受信したテキストメッセージに関連する音声が前記無線イヤホンに送信されるものであることを示す、請求項７に記載の方法。
【請求項１１】
無線イヤホンであって、
前記無線イヤホンが耳に挿入されたときを検出するよう構成されたセンサと、
前記無線イヤホンが第２の無線イヤホン及びコンパニオン通信デバイスと無線で通信することを可能にする通信インタフェースと、
前記無線イヤホンにより、
前記通信インタフェースを介して前記コンパニオン通信デバイスから音声データを受信し、
前記無線イヤホンが前記耳から外されたことを前記センサを介して検出し、
前記無線イヤホンが前記耳から外されたことに応答して前記通信インタフェースを介して前記コンパニオン通信デバイスへ信号を送信し、前記コンパニオン通信デバイスが前記音声データを前記無線イヤホンへ転送することを停止すること、
を生じさせる命令を実行するプロセッサと、
を備えた、無線イヤホン。
【請求項１２】
前記プロセッサは、前記無線イヤホン及び前記第２の無線イヤホンの少なくとも１つが耳に挿入されているか否かを示す１以上の信号を前記無線イヤホンが前記コンパニオン通信デバイスへ送信する命令を更に実行する、請求項１１に記載の無線イヤホン。
【請求項１３】
前記コンパニオン通信デバイスは、
前記無線イヤホン及び前記第２の無線イヤホンの一つが耳に挿入されるとき、前記音声データをモノラル音で前記無線イヤホンに送信し、
前記無線イヤホン及び前記第２の無線イヤホンの両方がそれぞれ耳に挿入されるとき、前記音声データをステレオ音で前記無線イヤホンに送信する、
ように構成された、請求項１２に記載の無線イヤホン。
【請求項１４】
前記第２の無線イヤホンが耳に挿入されることを前記１以上の信号が示すとき、前記コンパニオン通信デバイスは、前記音声データを前記第２の無線イヤホンに再転送する、請求項１２に記載の無線イヤホン。
【請求項１５】
前記第２の無線イヤホンの耳状態を検出する第２のセンサを更に備え、前記センサと前記第２のセンサがそれぞれ異なるタイプのセンサである、請求項１１記載の無線イヤホン。
【請求項１６】
音声信号をキャプチャするマイクロフォンを更に備え、
前記プロセッサは、前記無線イヤホンが前記通信インタフェースを介してキャプチャした前記音声信号を前記コンパニオン通信デバイスへ送信する命令を更に実行する、請求項１１記載の無線イヤホン。
【請求項１７】
第１の無線イヤホン及び第２の無線イヤホンと通信可能に結合されたコンパニオン通信デバイスであって、
前記第１の無線イヤホン及び前記第２の無線イヤホンと無線通信する通信インタフェースと、
音声を出力するスピーカと、
前記通信インタフェースと結合したプロセッサと、
前記第１の無線イヤホン及び前記第２の無線イヤホンそれぞれの耳内状態を検出する耳内状態信号を受信し、
前記耳内状態信号が、前記第１の無線イヤホンも前記第２の無線イヤホンも耳に挿入されていないことを示すとき、前記スピーカに音声データを出力し、
前記耳内状態信号が、前記第１の無線イヤホンのみが耳に挿入されていることを示すとき、前記第１の無線イヤホンに音声データをモノラル音で出力し、
前記耳内状態信号が、前記第１の無線イヤホン及び前記第２の無線イヤホンの両方が耳に挿入されていることを示すとき、前記第１の無線イヤホンに音声データをステレオ音で出力する、
ことを実行する命令を記憶したメモリと、
を備えた、コンパニオン通信デバイス。
【請求項１８】
音声電話を受信することが可能な機能を備えた、請求項１７に記載のコンパニオン通信デバイス。
【請求項１９】
前記命令は、前記第１の無線イヤホンが耳に挿入されていることを示す前記耳内状態信号の変化を決定することに応答して、前記コンパニオン通信デバイスに対して前記音声電話に返答するよう指示することを更に含む、請求項１８に記載のコンパニオン通信デバイス。
【請求項２０】
前記第１の無線イヤホンは、前記耳内状態信号を生成するために使用する少なくとも２つのセンサを含む、請求項１７に記載のコンパニオン通信デバイス。
【外国語明細書】
2020031444000001.pdf